(57)【要約】【課題】筐体の外形を変更することなく大きなサイズのバッテリーを搭載可能とする。【解決手段】バッテリー収容部３０が形成された筐体２と、バッテリー収容部３０に収容されるバッテリー２０と、上記バッテリー収容部３０をカバーするカバー部材１０と、を備え、上記カバー部材１０は、上記バッテリー収容部３０側に突出して形成されかつ上記カバー部材１０を上記筐体２に対して所定の一方向にスライドすることによって筐体２の一部と係合される係合爪４１を有する電子機器であって、上記バッテリー２０は、上記カバー部材１０が上記筐体２に対して上記一方向にスライドされた場合における上記係合爪４１の移動領域に応じた逃げ部２１を有する。【選択図】図２
2007257933.tif 000002
【特許請求の範囲】
【請求項１】
バッテリー収容部が形成された筐体と、バッテリー収容部に収容されるバッテリーと、前記バッテリー収容部をカバーするカバー部材と、を備え、
前記カバー部材は、前記バッテリー収容部側に突出して形成されかつ前記カバー部材を前記筐体に対して所定の一方向にスライドすることによって筐体の一部と係合される係合爪を有する電子機器であって、
前記バッテリーは、前記係合爪の逃げ部を有することを特徴とする電子機器。
【請求項２】
前記逃げ部は、前記カバー部材が前記筐体に対して前記一方向にスライドされた場合における前記係合爪の移動領域に応じて形成されることを特徴とする請求項１記載の電子機器。
【請求項３】
前記カバー部材の前記一方向側の端部に前記係合爪が形成され、前記一方向側に応じた前記バッテリーの端部に前記逃げ部が形成されていることを特徴とする請求項１または２記載の電子機器。
【請求項４】
前記バッテリーの前記逃げ部が形成された端部が、前記カバー部材のスライド開始位置よりも前記一方向側に位置することを特徴とする請求項３記載の電子機器。
【請求項５】
前記カバー部材は、該カバー部材が前記一方向にスライドされた場合に、前記筐体の前記バッテリー収容部の外部領域を移動して該外部領域に係合される補助係合爪を有することを特徴とする請求項１〜４いずれか一項に記載の電子機器。
【請求項６】
バッテリー収容部が形成された筐体と、該バッテリー収容部をカバーするカバー部材とを備え、前記カバー部材が、前記バッテリー収容部側に突出して形成されかつ前記カバー部材を前記筐体に対して所定の一方向にスライドすることによって筐体の一部と係合される係合爪を有する電子機器の前記バッテリー収容部に収容されるバッテリーであって、
前記係合爪の逃げ部を有することを特徴とするバッテリー。
【請求項７】
前記逃げ部は、前記カバー部材が前記筐体に対して前記一方向にスライドされた場合における前記係合爪の移動領域に応じて形成されることを特徴とする請求項６記載のバッテリー。
【請求項８】
バッテリーセルと、バッテリーセルの端子に接続されて前記バッテリーセルの所定の一面に配置されるバッテリー基板と、該バッテリー基板に接続されるとともに前記電子機器のバッテリー端子に接続される外部端子と、該外部端子の少なくとも一部を露出した状態でバッテリー基板をモールドするモールド部とを有し、
前記逃げ部は、前記モールド部に形成されていることを特徴とする請求項６または７記載のバッテリー。
【請求項９】
前記モールド部が、前記バッテリー基板が設置される前記バッテリーセルの一面と該一面と異なる一面とを覆って形成され、前記逃げ部は、前記モールド部の前記異なる一面を覆う部位に形成されていることを特徴とする請求項８記載のバッテリー。
【発明の詳細な説明】
【技術分野】
【０００１】
本発明は、筐体に形成されたバッテリー収容部にバッテリーが収容されるとともにバッテリー収容部がカバー部材にてカバーされた電子機器及び該電子機器が備えるバッテリーに関するものである。
【背景技術】
【０００２】
筐体にバッテリー収容部が形成され、このバッテリー収容部を覆うカバー（カバー部材）を備える電子機器として、例えば携帯電話機がある。
このような携帯電話機においては、電力を供給するためのバッテリーが筐体に形成されたバッテリー収容部に収容されており、カバーを筐体から取り外すことによって、バッテリーを容易に着脱可能な構造とされている。
【０００３】
ところで、特許文献１に記載されているように、カバーには、筐体のバッテリー収容部側に突出して形成された係合爪（ツメ２１）が形成されている。そして、バッテリー収容部に収容されたバッテリーと筐体との間に係合爪を入り込ませて筐体の表面とカバーの表面とを面一に合わせた後に、カバーをスライドさせることによってカバーを筐体に対して取り付ける。この際、カバーの係合部が筐体の一部に係合され、これによってカバーが筐体に対して固定される。
【特許文献１】特開平１１−１３５０９２号公報
【発明の開示】
【発明が解決しようとする課題】
【０００４】
近年、特に携帯電話機では高機能化が図られており、消費電力が増加傾向にある。これに伴ってバッテリーの容量を増やす対策が必要となっている。バッテリーの容量を増やす方法としては、バッテリーサイズを大きくすることが最も簡単な方法である。
しかしながら、従来の携帯電話機においては、カバーを筐体に取り付けるためにカバーの係合爪を入り込ませるための空間（バッテリーと筐体との間）を確保しているため、バッテリーサイズを筐体の長手方向に大きくすることができなかった。
または、カバーの係合爪を入り込ませるための空間を確保しているため、筐体が長手方向（カバーのスライド方向）に大きくなり、筐体の小型化が図れないという問題があった。
【０００５】
本発明は、上述する問題点に鑑みてなされたもので、大きなサイズのバッテリーを搭載可能な、または筐体の小型化が可能な電子機器及び該電子機器に用いられるバッテリーを提供することを目的とする。
【課題を解決するための手段】
【０００６】
上記目的を達成するために、本発明の電子機器は、バッテリー収容部が形成された筐体と、バッテリー収容部に収容されるバッテリーと、上記バッテリー収容部をカバーするカバー部材と、を備え、上記カバー部材は、上記バッテリー収容部側に突出して形成されかつ上記カバー部材を上記筐体に対して所定の一方向にスライドすることによって筐体の一部と係合される係合爪を有する電子機器であって、上記バッテリーが、上記係合部の逃げ部を有することを特徴とする。
【０００７】
また、本発明の電子機器においては、上記逃げ部が、上記カバー部材が上記筐体に対して上記一方向にスライドされた場合における上記係合爪の移動領域に応じて形成されるという構成を採用することができる。
【０００８】
また、本発明の電子機器においては、上記カバー部材の上記一方向側の端部に上記係合爪が形成され、上記一方向側に応じた上記バッテリーの端部に上記逃げ部が形成されているという構成を採用することができる。
なお、本構成を採用する場合には、上記バッテリーの上記逃げ部が形成された端部が、上記カバー部材のスライド開始位置よりも上記一方向側に位置するという構成を採用することができる。
【０００９】
また、本発明の電子機器においては、上記カバー部材が、該カバー部材が上記一方向にスライドされた場合に、上記筐体の上記バッテリー収容部の外部領域を移動して該外部領域に係合される補助係合爪を有するという構成を採用することができる。
【００１０】
次に、本発明のバッテリーは、バッテリー収容部が形成された筐体と、該バッテリー収容部をカバーするカバー部材とを備え、上記カバー部材が、上記バッテリー収容部側に突出して形成されかつ上記カバー部材を上記筐体に対して所定の一方向にスライドすることによって筐体の一部と係合される係合爪を有する電子機器の上記バッテリー収容部に収容されるバッテリーであって、上記係合爪の逃げ部を有することを特徴とする。
【００１１】
また、本発明のバッテリーにおいては、上記逃げ部が、上記カバー部材が上記筐体に対して上記一方向にスライドされた場合における上記係合爪の移動領域に応じて形成されるという構成を採用することができる。
【００１２】
また、本発明のバッテリーにおいては、バッテリーセルと、バッテリーセルの端子に接続されて上記バッテリーセルの所定の一面に配置されるバッテリー基板と、該バッテリー基板に接続されるとともに上記電子機器のバッテリー端子に接続される外部端子と、該外部端子の少なくとも一部を露出した状態でバッテリー基板をモールドするモールド部とを有し、上記逃げ部が、上記モールド部に形成されているという構成を採用することができる。
本構成を採用する場合に、上記モールド部が、上記バッテリー基板が設置される上記バッテリーセルの一面と該一面と異なる一面とを覆って形成され、上記逃げ部が、上記モールド部の上記異なる一面を覆う部位に形成されているという構成を採用することができる。
【発明の効果】
【００１３】
本発明によれば、カバー部材が筐体に対して一方向にスライドされた場合における係合爪の移動領域に応じた逃げ部がバッテリーに形成されている。このため、カバー部材を筐体に対してスライドさせた場合に、カバー部材の係合爪がバッテーの逃げ部を介して移動して筐体の一部に係合される。したがって、本発明によれば、大きなサイズのバッテリーの搭載が可能、または筐体の小型化が可能とされる。
【発明を実施するための最良の形態】
【００１４】
以下、図面を参照して、本発明に係る電子機器及びバッテリーの一実施形態について説明する。なお、以下の実施形態では、本発明の電子機器の一例として、携帯電話機を挙げて説明する。また、以下の図面において、各部材を認識可能な大きさとするために、各部材の縮尺を適宜変更している。
【００１５】
（第１実施形態）
図１は、本実施形態の携帯電話機１の概略構成を示す斜視図である。この図に示すように、本実施形態の携帯電話機１は、第１筐体２と第２筐体３とを有している。そして、第１筐体２と第２筐体３とは、ヒンジ部４を介して開閉可能に連結されている。
第１筐体２には、複数の操作キー５（操作部）が配列されている。また、操作キー５の下側にはマイクロフォン６が設置されている。
一方、第２筐体３には、液晶ディスプレイあるいは有機ＥＬ（Ｅｌｅｃｔｒｏ  Ｌｕｍｉｎｅｓｃｅｎｃｅ）ディスプレイや無機ＥＬディスプレイ等の表示部７が設置されている。また、表示部７の上側には、スピーカ８が設置されている。
【００１６】
図２は、第１筐体２を裏側から見た斜視図である。なお、図２（ａ）が、カバー１０が第１筐体２に取り付けられた状態を示す図であり、図２（ｂ）が、カバー１０が第１筐体２から取り外された状態を示す図である。
【００１７】
図２（ｂ）に示すように、第１筐体２には、バッテリー２０を収容するための収容溝３０（バッテリー収容部）が形成されている。この収容溝３０は、バッテリー２０の平面視形状と略同一の平面視形状を有し、バッテリー２０の厚みと略同一の深さを有している。そして、第１筐体２の収容溝３０にバッテリー２０が収容され、収容溝３０が、図２（ａ）に示すようにカバー１０によって覆われる（カバーされている）。
【００１８】
カバー１０は、第１筐体２に取り付けられた際に、第１筐体２と一体状となるように第１筐体２の表面と面一の表面１１を有して形成されている。このカバー１０には、カバー１０を第１筐体２に対して固定するための係合爪４０が複数形成されている。
【００１９】
係合爪４０は、１つの主係合爪４１と、６つの副係合爪４２とによって構成されている。
主係合爪４１（係合爪）は、第１筐体２の長手方向でもあるカバー１０の長手方向（図２に示すｘ方向）側の端部１２に形成されており、収容溝３０側に突出して形成されているとともに、先端部４１１が折れ曲がってｘ方向（長手方向）に突出するように形成されている。この主係合爪４１は、カバー１０が第１筐体２に取り付けられている際には、先端部４１１が第１筐体２側に形成された受部５０と係合された状態となる。また、主係合爪４１は、カバー１０をｘ方向にスライドさせることによって、第１筐体２の受部５０と係合される構造とされている。すなわち、主係合爪４１は、カバー１０を第１筐体２に取り付ける際にスライドさせる方向の先頭側の端部１２に形成されており、カバー１０をスライドさせることによって、先端部４１１が第１筐体２の内部に入り込むことによって、第１筐体２の受部５０と係合される。
【００２０】
副係合爪４２（補助係合爪）は、カバー１０の短手方向（図２に示すｙ方向）側の端部１３，１４の各々に２つずつ形成されており、下方に突出して形成されている。なお、副係合爪４２の形成位置は、カバー１０が第１筐体２に取り付けられている際に、収容溝３０の外部に副係合爪４２が位置されるように形成されている。すなわち、カバー１０をスライドさせた際に、副係合爪４２が収容溝３０の外部において移動するように形成されている。
なお、第１筐体２側には、各副係合爪４２の位置に応じて、すなわち収容溝３０の外部に、副係合爪４２と係合可能な受部６０が形成されている。そして、カバー１０をスライドさせることによって、各副係合爪４２が各受部６０と係合可能な構成とされている。
【００２１】
つまり、本実施形態においては、カバー１０を＋ｘ側にスライドさせることによって、カバー１０に形成された各係合爪４０が第１筐体２側に形成された受部５０，６０と係合され、これによってカバー１０が第１筐体２に対して取り付けられる。一方、カバー１０を−ｘ側にスライドさせることによって、各係合爪４０と受部５０，６０との係合が解かれ、これによってカバー１０が第１筐体２から取り外される。
【００２２】
バッテリー２０は、本実施形態の携帯電話機１に電力を供給するためのものであり、第１筐体２の収容溝３０に収容される。図３は、バッテリー２０の斜視図である。
このバッテリー２０には、図２（ｂ）及び図３に示すように、逃げ溝２１（逃げ部）が、カバー１０の主係合爪４１の形成位置に応じた、長手方向（ｘ方向）側の端部２２に形成されている。この逃げ溝２１は、カバー１０の主係合爪４１がスライドによって移動する領域（移動領域）に応じて形成されている。すなわち、カバー１０を第１筐体２に対して脱着するためにスライドさせた場合に、主係合爪４１の移動が妨げられないような幅及び深さを有して形成されている。
【００２３】
図４は、バッテリー２０の平面図である。この図に示すように、バッテリー２０は、バッテリーセル２３と、バッテリー基板２４と、コネクタ２５（外部端子）と、モールド部２６とを備えている。
【００２４】
バッテリーセル２３は、電解質を封入する金属製の薄型矩形容器であり、不図示の負極端子と正極端子を有している。このバッテリーセル２３としては、例えば、リチウムイオンバッテリーを用いることができる。
バッテリー基板２４は、バッテリーセル２３の負極端子と正極端子とに電気的に接続されており、充電制御用回路やショート時用安全回路を含んでいる。このバッテリー基板２４は、図４に示すように、バッテリーセル２３の短手方向（ｙ方向）側の側面２３１（所定の一面）側に設置されている。
コネクタ２５は、バッテリー基板２４に当接して配置されており、バッテリー基板２４と電気的に接続されている。このコネクタ２５は、バッテリー２０が収容溝３０に収容された際に、第１筐体２が備えるバッテリー端子と電気的に接続される。
モールド部２６は、コネクタ２５のバッテリー端子との接続部分を少なくとも露出した状態で、バッテリーセル２３、バッテリー基板２４及びコネクタ２５を覆って形成されている。すなわち、モールド部２６は、バッテリーセル２３のバッテリー基板２４が設置される側面２３１及びバッテリーセル２３の他の面を覆って形成されている。このモールド部２６によって、バッテリー２０の外形が形作られている。
【００２５】
そして、本実施形態においては、バッテリー２０のモールド部２６に、上述の逃げ溝２１が形成されている。さらに、逃げ溝２１は、バッテリーセル２３のバッテリー基板２４が設置される側の側面２３１を覆うモールド部の部位と異なる部位に形成されている。
このような逃げ溝２１は、モールド部を成形する際に用いられる金型に逃げ溝２１に対応する突出部を形成しておくことによって、モールド部の成形と同時に容易に形成することができる。
【００２６】
図５は、第１筐体２を模式的に示した断面図である。この図に示すように、ＣＰＵや通信部を搭載した回路基板９が収納されており、回路基板９とバッテリー２０とは、上述したコネクタ２５とバッテリー端子とを介して電気的に接続されている。回路基板９には、操作キー５を押下することによって駆動されるスイッチ（不図示）が複数設置されている。そして、各スイッチが駆動されることによって、本実施形態の携帯電話機１が操作可能とされている。
【００２７】
このように構成された本実施形態の携帯電話機１を組立てる場合には、カバー１０が第１筐体２から取り外された状態において、バッテリー２０を第１筐体２の収容溝３０に収容する。そして、カバー１０によって収容溝３０を覆うことによって携帯電話機１が組立てられる。
ここで、本実施形態においては、バッテリー２０に、カバー１０をスライドさせた場合に、主係合爪４１の移動が妨げられないような幅及び深さを有する逃げ溝２１が形成されている。このため、図５に示すように、カバー１０の主係合爪４１をバッテリー２０の逃げ溝２１に挿し込み、その後カバー１０をｘ方向にスライドさせて主係合爪４１の先端部４１１が第１筐体２の受部５０と係合させることによって、カバー１０を第１筐体２に固定することができる。これによって、カバー１０が第１筐体２に対して取り付けられる。
なお、カバー１０をスライドさせることによって、カバー１０の副係合爪４２も第１筐体２に形成された受部６０に係合される。これによって、確実にカバー１０を第１筐体２に対して固定することができる。
【００２８】
このような本実施形態の携帯電話機１によれば、バッテリー２０に逃げ溝２１が形成されているため、主係合爪４１を逃げ溝２１を介して移動させることによって第１筐体２の受部５０と係合させることができる。したがって、従来の携帯電話機のように、バッテリーと第１筐体との間に、カバー１０の主係合爪４１を入り込ませるための空間を確保する必要がなくなり、従来において空間とされていた部分が埋まるまでバッテリーのサイズを大きくすることができる。よって、本実施形態の携帯電話機１のように、第１筐体２の外形を変更することなく、カバー１０を取り付ける際の主係合爪４１のスライド開始位置（図５に示す主係合爪４１の位置）よりも、スライド方向側にバッテリー２０の端面を持ってくることが可能となる。すなわち、大きなサイズのバッテリーが搭載可能となる。よって、バッテリーの容量を増やすことが可能となる。あるいは、バッテリーと第１筐体との間にカバー１０の主係合爪４１を入り込ませるための空間を確保する必要がなくなり、この第１筐体２をカバー１０のスライド方向（長手方向）にコンパクトに構成して、携帯電話機１の小型化を図ることが可能となる。
【００２９】
（第２実施形態）
次に、本発明の第２実施形態について説明する。なお、本第２実施形態の説明において、上記第１実施形態と同様の部分については、同一符合を付し、その説明を省略あるいは簡略する場合がある。
【００３０】
図６は、本第２実施形態の携帯電話機が備えるバッテリー２０の斜視図である。この図に示すように、本実施形態のバッテリー２０は、逃げ溝２１の底面２１１が−ｘ側に向かうにつれて徐々に高くなる傾斜面とされている。
【００３１】
このような構成を有する本実施形態の携帯電話機によれば、上記第１実施形態の携帯電話機１と同様の効果を奏するとともに、カバー１０を第１筐体２から取り外す際に、カバー１０の主係合爪４１が逃げ溝２１の底面２１１に当接した状態で摺動することによって、カバー１０が上方に押し上げられる。このため、カバー１０の取り外しが容易となる。
【００３２】
（第３実施形態）
次に、本発明の第３実施形態について説明する。なお、本第３実施形態の説明においても、上記第１実施形態と同様の部分については、同一符合を付し、その説明を省略あるいは簡略化する場合がある。
【００３３】
図７は、本実施形態の携帯電話機が備えるバッテリー２０の斜視図である。この図に示すように、本実施形態のバッテリー２０は、逃げ溝２１がバッテリー２０の上面の長手方向全体に形成されている。
【００３４】
このような構成を有する本実施形態の携帯電話機においても、上記第１実施形態の携帯電話機と同様に、従来の携帯電話機のように、バッテリーと第１筐体との間に、カバー１０の主係合爪４１を入り込ませるための空間を確保する必要がなくなり、バッテリーサイズを大きくすることができる。
【００３５】
以上、本発明の実施形態について図面を参照して詳説したが、具体的な構成は、上記実施形態に限定されるものではなく、本発明の要旨を逸脱しない範囲において設計変更等が可能である。
【００３６】
例えば、上記実施形態においては、本発明の電子機器の一例として携帯電話機を挙げて説明した。しかしながら、本発明はこれに限定されるものではなく、携帯電話機以外の電子機器（例えばＰＤＡ（Ｐｅｒｓｏｎａｌ  Ｄｉｇｉｔｅｌ  Ａｓｓｉｓｔａｎｔ）等）に適用することができる。
【００３７】
また、上記第１実施形態及び第２実施形態では、逃げ溝２１がバッテリー２０の端部２２における第１筐体２の幅方向（短手方向）の略中央に配設される構成としたが、本発明は、当該構成に限定されることなく、例えば逃げ溝２１を上記幅方向の全域に亘って配設するように構成してもよく、カバー１０を第１筐体２に対してスライドさせる際に主係合爪４１がバッテリー２０と干渉しないように形成（配設）されれば良い。
また、上記実施形態では、バッテリー２０の端部２２側に位置するバッテリーセル２３の端部には、逃げ溝２１に対応した位置に凹部が形成される構成としたが、本発明は、当該構成に限定されることなく、逃げ溝２１に対応した位置に凹部が形成されないバッテリーセル２３であっても良い。例えば、バッテリー２０の端部２２側に配設されるモールド部がバッテリー２０の長手方向（カバー１０のスライド方向）にある程度の厚みを持って形成されるように構成し、このモールド部に逃げ溝２１を形成することにより、バッテリーセル２３には凹部を形成する必要がない。この場合には、形状を変更することなく従来のバッテリーセルを利用することが可能となる。
【図面の簡単な説明】
【００３８】
【図１】本発明の第１実施形態における携帯電話機の概略構成を示す斜視図である。
【図２】本発明の第１実施形態における携帯電話機の第１筐体を裏側から見た斜視図である。
【図３】本発明の第１実施形態における携帯電話機が備えるバッテリーの斜視図である。
【図４】本発明の第１実施形態における携帯電話機が備えるバッテリーの平面図である。
【図５】本発明の第１実施形態における携帯電話機の第１筐体を模式的に示した断面図である。
【図６】本発明の第２実施形態における携帯電話機が備えるバッテリーの斜視図である。
【図７】本発明の第３実施形態における携帯電話機が備えるバッテリーの斜視図である。
【符号の説明】
【００３９】
１……携帯電話機（電子機器）、２……第１筐体（筐体）、１０……カバー（カバー部材）、１２，１３……端部、２０……バッテリー、２１……逃げ溝（逃げ部）、２２……端部、２３……バッテリーセル、２３１……側面（所定の一面）、２４……バッテリー基板、２５……コネクタ（外部端子）、２６……モールド部、３０……収容溝（収容部）、４１……主係合爪（係合爪）、４１１……先端部、４２……副係合爪（補助係合爪）、
【図１】
2007257933.tif 000003
【図２】
2007257933.tif 000004
【図３】
2007257933.tif 000005
【図４】
2007257933.tif 000006
【図５】
2007257933.tif 000007
【図６】
2007257933.tif 000008
【図７】
2007257933.tif 000009